【事件の表示】
　平成　７年特許願第５１５７６０号「電子的書籍選択及び配送システム」拒絶査定不服審判事件〔平成　７年　６月　８日国際公開、ＷＯ９５／１５６４９、平成　９年　６月１７日国内公表、特表平　９−５０６２２５〕について、次のとおり審決する。
【結　論】
　本件審判の請求は、成り立たない。
【理　由】
第一　経緯
　
［１］手続
　本願は、平成６年１２月２日を国際出願日（パリ条約による優先権主張：平成５年１２月２日、アメリカ合衆国）とする出願であり、平成１６年１１月２５日付けで拒絶査定された。
　本件は、同拒絶査定を不服とする平成１７年３月７日の審判の請求であり、請求後、平成１７年４月６日付けで手続補正書（明細書又は図面について請求の日から３０日以内にする補正）が提出された。
　
［２］査定
　原査定の理由は、概略、下記のとおりである。
　　　　　記（査定の理由）
　〈理由Ａ〉
　本願は、特許法第３７条に規定する要件を満たしていない。
　〈理由Ｂ〉
　本願の請求項１および請求項５に係る発明は、下記刊行物に記載された発明に基づいて当業者が容易に発明をすることができたものであるから、特許法第２９条第２項の規定により、特許を受けることができない。
　　　　　記
　刊行物１：特開平４−１７０１８３号公報
　刊行物２：特開平５−５６４０５号公報
　刊行物３：特開昭６４−７７８６号報
　刊行物４：特開平５−２３６４３７号公報
　
第二　補正の却下の決定
　
　平成１７年４月６日付けの補正（以下、「本件補正」という。）について次のとおり決定する。
　
　《結論》
　平成１７年４月６日付けの補正を却下する。
　
　《理由》
　本件補正は、特許請求の範囲についてする補正であって特許請求の範囲の減縮を目的とするところ、補正後の請求項１に記載される発明は特許出願の際独立して特許を受けることができない。
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
　本件補正後の請求項１に記載される発明が特許出願の際独立して特許を受けることができないとする理由の詳細は、以下のとおりである。
　
［１］補正後発明
　本件補正後の請求項１に記載される発明（補正後発明という）は、下記のとおりである。
　　　　　記（補正後発明）
　ビデオ・フォーマットされた合成信号として送信されるテキスト・データを送信し受信し選択するシステムであって、
　（ａ）テキスト・データとメニュ・データとを用いて、前記テキスト・データと前記メニュ・データとを含むビデオ信号としてフォーマットされている合成信号を作成する手段と、
　（ｂ）手段（ａ）に接続されており、前記合成信号を送信する手段と、
　（ｃ）前記合成信号を受信する手段と、
　（ｄ）手段（ｃ）に接続されており、前記メニュ・データとメニュと少なくとも１つのサブメニュとを用いて前記テキスト・データの一部を選択する手段と、
　を備えており、手段（ｄ）は、テキスト・データの一部を指示する加入者エントリを受信する手段を含み、
　前記少なくとも１つのサブメニュは前記メニュから選択されることを特徴とするシステム。
　
［２］引用刊行物の記載
　
　原査定の拒絶の理由に引用された刊行物である特開平４−１７０１８３号公報（上記刊行物１に同じ。同様に「刊行物１」という。）には、次に掲げる事項が記載されている。 
　
　《産業上の利用分野》
　(K1)「産業上の利用分野
　本発明は、文字放送（テレテキスト）等の文字図形情報の表示装置に関するものである。」（２頁右上欄２行〜４行）
　
　《従来の技術》
　〈文字放送〉
　(K2)「従来の技術
　符号化伝送方式による文字放送はレベルＡと呼ばれる規格が既に実用化されている。
　上記文字放送は、０００番組番号を目次としている。予約番組設定等をしていない通常の文字放送受信機は、電源オン後ただちに設定されているチャンネルの文字放送の目次番組（０００番組）を捜し表示する。」（２頁右上欄５行〜１２行）
　
　〈文字放送受信機の従来例、図６〉
　(K3)「第６図に文字放送受信機の従来例を示す。１は、ビデオ信号より文字放送データを抜き取るためのデータ抜取部である。２は、データ抜取部１からのデータに対し誤り訂正を行い重畳Ｈ単位でデータを格納する誤り訂正部である。３は文字放送受信機の全体を制御するための制御部である。４は、制御部３の制御処理を行うためのワークＲＡＭ、バッファＲＡＭとして用いる為のＲＡＭ部である。５は、制御部を動作させるためのプログラムあるいはデータが格納されているプログラムＲＯＭとして機能するＲＯＭ部である。６は、文字放送コードに対応して文字発生のための文字フォントを有する文字発生部である。７は、利用者が文字放送受信機に対して要求を行うためのキー入力部である。
　キー入力部７より利用者が目次番組を選択した場合、制御部３は目次番組を選択するために誤り訂正部２に格納されたデータに対し０００番組番号を有するデータがないかを検索する。検索番号が見つかると各データのパケット単位に処理を行い、文字コードを検出し文字発生部６より文字フォントのデータを取り出す。
　８は、この文字フォントのデータを記憶し、表示続出を行うためのための表示メモリ部である。９は表示メモリ部８に対して文字フォントデータを書き込むためのアドレス発生、データバス制御および表示読出のためのアドレス発生データバス制御映像信号合成および発生を行うための表示側御部である。１０は、表示制御部９からの映像信号を表示するためのＣＲＴ（陰極線管）等から成るディスプレイである。」（２頁右上欄１３行〜右下欄３行）
　〈文字放送〉
　(K4)「第７図に文字放送の目次画面例を示す。文字放送は、現在水平走査線の１４Ｈ，１５Ｈ，１６Ｈおよび２１Ｈを用いている。」（２頁右下欄４行〜６行）
　〈文字放送、目次画面例〉
　(K5)「放送局が文字放送を行っているが、自局と第三者法人の両方により文字放送を行っている場合、文字放送の目次は（０００番組）ではなく（９００番組）が使われている。第８図にその目次画面例を示す。第８図の目次画面は、−括番組と呼ばれるもので複数頁を個別ではな（まとめて−括に送るものであり、ページキー「〉」を押下することで次ページを表示させることができるものである。第９図にその文字放送の目次画面の２ページの表示例を示す。
　第三者法人による文字放送では、目次番組は（０００番組）を用いている。その例を第１０図に示す。このように本来の目次番号であった（０００番組）が文字放送の扉あるいは表紙のような役目を果たしており、表紙に示された番組番号が目次の役目を果たしている。その例を第１１図に示す。」（２頁右下欄７行〜３頁左上欄３行）
　〈番組番号の選択〉
　(K6)「これら第７図、第９図２第１０図及び第１１図の中で示されている番組番号を選択する場合、従来の文字放送受信機では三桁の番組番号をキー入力しさらに入力（エントリ）キーである＃キーを押下する。」（３頁左上欄３行〜７行）
　〈発明が解決しようとする課題〉
　(K7)「第７図の様な目次番組を選択した場合、従来の文字放送受信機では画面上に番組番号が表示されているにもかかわらず利用者は、番組番号８７０の番組を選択する場合、８，７，０，＃の四つのキーを押下する必要が有った。
　第９図の様な目次番組を選択した場合も同様に、従来の文字放送受信機では画面上に番組番号が表示されているにもかかわらず利用者は、番組番号９０１の番組を選択する場合、９，０，１，＃の四つのキーを押下する必要が有った。」（３頁左上欄９行〜１８行）
　
　《課題を解決するための手段》
　(K8)「課題を解決するための手段
本発明の文字放送受信機は、目次番組を判別する手段と、ヘッダ部と本文部を判別する手段と、本文部内データより＃コードを判別する手段と、＃コードに先立って付随する番組番号を示す数字コードを判別する手段と、該番組番号および＃が表示されている画面上の位置を記憶する手段と、目次画面中の番組番号を選択する入力手段と、該番組番号および＃が表示されている画面上の位置を特徴付けて表示する手段と、画面上の任意の番組番号および＃表示を選択する手段等を有する。
　　作用
　　本発明によれば、上記に示した手段を用いて文字放送画面に番組番号が表示されている時、設定キーを押下すると直ちに番組番号が表示されそれを選択することで少ないキー操作で目的の番組を選択することができる。」（３頁右上欄１２行〜左下欄８行）
　
　《実施例》
　〈実施例における文字放送受信機、第１図〉
　(K9)「実施例
　以下、本発明の一実施例について図面を参照しながら説明する。
　第１図は本発明の一実施例における文字放送受信機である。なお、第１図において第６図に示す従来例と同一の番号を有するものは同一機能を有するものであり、詳細な説明は省略する。
　１１は、目次番組表示中に押下すると番組番号表示された個所の表示変更要求を行うためのキーおよび表示変更された番組番号表示された任意の個所を選択することができるキーを有する利用者が文字放送受信機に対して要求を行うためのキー入力部である。
　１２は、目次番組であること検出するための目次番組検出部である。１３は、表示画面はヘッダ部と本文部とに分けられるがデータがヘッダ部のものか本文部のものか判別するためのヘッダ部・本文部判別部である。１４は＃コード判別部である。１５は、本文部における番組番号コードデータおよびその表示位置を記憶するための番組番号・位置対応表である。
　キー入力部１１より利用者が目次番号を選択した場合、制御部３は目次番組を選択するために誤り訂正部２に格納されたデータに対しＯＯＯ番組番号を有するデータがないかを検索する。検索番号が見つかると各データのパケット単位に処理を行い、文字コードを検出し文字発生部６より文字フォントデータを取り出し表示制御部９を介し表示メモリ部８に書き込む。書き込まれた内容は、表示制御部９が表示メモリ部８からデータを読出し映像信号に変換しディスプレイ１０に表示される。」（３頁左下欄９行〜右下欄２０行）
　〈目次画面例、第２図〉
　(K10)「第２図にはヘッダ部と本文部を示す。制御部３は、表示画面が目次番組であることを検出し目次番組検出部１２をセットする。ヘッダ部・本文部判別部１３は、第２図に示した様にヘッダ部と本文部のいずれにも＃を含んだ様な場合、現在処理中がいずれかを判別するために用いるものであり、制御部３によってその状態が書き込まれる。
　　目次番号が選択され検出されると、制御部３は目次番組検出部１２をセットし、処理データに応じてヘッダ部・本文部判別部１３にその状態を書き込む。＃コードが検出された場合、ヘッダ部・本文部判別部１３より本文部を判別した場合は＃コードに先行する番組にがいとうする数字コードおよびその表示位置を番組番号・位置対応表１５に書き込む。」（４頁左上欄１行〜１７行）
　
　〈フラッシング、番組の選択・検索・表示〉
　(K11)「目次番組が表示された後、キー入力部１１より目次番組表示中に押下すると番組番号表示された個所の表示変更要求を行うためのキーが押下されると制御部３は目次番号検出部１２より目次番組が表示中であることを検出し、さらに番組番号・位置対応表１５より画面本文部に表示されている番組番号の表示位置を判別し、第３図に示した様に番組番号部の表示が変更される。第２図に対し第３図で枠で囲んだ部分はフラッシング動作を行う。斜線で示した１００＃の部分は、他とは逆相のフラッシングを行う。次にキー入力部１１より目次番組表示中に押下すると番組番号表示された個所の表示変更要求を行うためのキーが再度押下されると、第４図に示した様に次の番組番号２００＃が逆相のフラッシングになる。１００＃の部分は正相のフラッシングとなる。このキーを順次押下すると次々に番組番号が選択表示される。目的の番組番号の所になり表示変更された番組番号表示された任意の個所を選択するとかできるキーを押下すると直ちに目的の番組番号を有する番組の検索が行われ表示される。第４図で押下されると２００＃の天気予報が選択される。」（４頁左上欄1８行〜同頁右上欄１９行）
　
　〈番組番号０００以外の番組番号案内〉
　(K12)「第９図および第１１図のように番組番号０００以外の番組でも目次番組の様に番組番号案内を行う場合がある。このような場合に対する本発明の一実施例を第５図に示す。」（４頁左下欄２行〜５行）
　〈番組の選択・検索・表示〉
　(K13)「なお、第５図において第１図に示す発明例と同一の番号を有するものは同一機能を有するものであり、詳細な説明は省略する。
　第５図において１６は、表示画面中の本文に番組番号を含む番組が検出された場合に制御部３より番組番号が保有される番組が検出された場合にセットされる番組番号保有番組検出部である。
　１７は、番組番号保有番組表示中に押下すると番組番号表示された個所の表示変更要求を行うためのキーおよび表示変更された番組番号表示された任意の個所を選択することができるキーを有する利用者が文字放送受信機に対して要求を行うためのキー入力部である。番組番号保有番組が表示された後、キー入力部１７より番組表示中に押下すると番組番号表示された個所の表示変更要求を行うためのキー押下されると番組番号保有番組検出部１６より状態を検出し、さらに番組番号・位置対応表１５より画面本文部に表示されている番組番号の表示位置を判別し、第３図に示した場合と同様に番組番号の表示が変更される。
　目的の番組番号の所になり表示変更された番組番号表示された任意の個所を選択することができるキーを押下すると直ちに目的の番組番号を有する番組の検索が行われ表示される。」（４頁左下欄６行〜同頁右下欄９行）
　
　《発明の効果》
　(K14)「発明の効果
  本発明によれば、上記に示した手段を用いて文字放送画面に番組番号が表示されている時、設定キーを押す下すると直ちに番組番号が表示されそれを選択することで少ないキー操作で目的の番組を選択することができる。」（４頁右下欄１２行〜１７行）
　
［３］補正後発明と引用発明との対比（対応関係）
　
　（１）刊行物１に記載された発明（引用発明）
　
　ア　システムの発明を認定すること、技術常識について
　
　ア-１）刊行物１概要、技術常識
　刊行物１には、概要、前掲(K2)(K4)(K5)記載の文字放送(テレテキスト)を前提に、文字放送の文字図形情報の表示装置に関して、
　前掲(K3)(K6)(K7)を従来の文字放送受信機とその課題とし、
　前掲(K8)(K14)を課題を解決するための手段・作用・効果、
　前掲(K9)〜(K13)をその実施例とし、
　「文字放送画面に番組番号が表示されている時、設定キーを押下すると直ちに番組番号が表示されそれを選択することで少ないキー操作で目的の番組を選択することができる」ようにした、「文字放送受信機」が記載されている。
　前提とするその文字放送（テレテキスト）は、国内で実用化された文字放送の技術を前提とするものであることは明らかである｛「文字放送はレベルＡと呼ばれる規格が既に実用化されている。」(K2)、「文字放送は、現在水平走査線の１４Ｈ，１５Ｈ，１６Ｈおよび２１Ｈを用いている。」(K4)｝ところ、
　文字放送（テレテキスト）とは、概要、以下のような技術であることは技術常識である。
　
　〈技術常識〉
　技術常識Ａ：文字放送（テレテキスト）は、国内で実用化されているシステムであって、概要、文字や図形で構成される画像情報を、テレビ映像信号の垂直帰線消去期間（ＶＢＬ）に重畳して複合映像信号の形態で送信し、受信側では、この信号を受信し、受信した信号から文字信号を分離し、復号し、テレビ受信機に表示するシステムであり、
　文字放送では、ニュースや天気予報などの情報番組が繰り返し放送され、利用者（ユーザー）は、その中から希望の情報を随時選択できるようになっているものであること
　技術常識Ｂ：テレビ映像（ビデオ）信号は、撮像電気信号に同期信号等が多重化されて合成された形態の信号であり、「複合映像信号」、「合成映像信号」と呼ばれていること
　以上は、技術常識である。｛例えば、下記周知例１〜４参照。｝
　
　　　　　　　記（周知例１〜４）
　
周知例１
　「文字放送　teletext
　文字や図形で構成される情報をテレビジョンの垂直帰線期間などを利用して多重し、放送電波によって伝送する放送・多種類の情報が繰り返し放送されていて、受信者はその中から希望の情報を随時に選択できる．文字・図形情報の伝送方法に文字コード伝送方式と文字パターン伝送方式とがあり、その文字放送信号は既存の放送電波への多重が容易である．受信信号はいったんコード　メモリーまたはパターン　メモリーに記録し、それをパターン信号として再生して表示する．」（ｐ２８７「文字放送」の項）
　「複合化【テレビジョン】
　映像信号に同期信号を多重すること．同期信号の加わった映像信号を複合映像信号という．」（ｐ２４５　複合化【テレビジョン】の項）
　「複合カラー映像信号　comosite　color　picture　signal
　同期信号が多重化されたカラー映像信号．」（ｐ２４５「複合カラー映像信号」の項）
　
　
周知例２
　以下は、ｐ３１−３３、６４−６５の一部抜粋である。
　「２．１カラーテレビの信号
　放送局のスタジオ設備から送出されるカラーテレビの映像に関係する信号は、受信側で画像を再現するための映像信号とカラー画像を組み立てるための同期信号、搬送色信号およびカラーバーストを含めた複合映像信号が用いられる。この複合映像信号を一般にカラーテレビ信号と呼んでいる。
　
　２.１.１　テレビジョン信号の構成
　・・・（中略）・・・
　図2-2は、カラーテレビ信号を作る順序を示したものである。同図(a)はカメラ内部の撮像管などの映像信号出力を示し、被写体の明暗に応じて出力信号の振幅も変化している。水平又は垂直の帰線期間中の映像信号は、撮像管などでの走査の戻りの期間に生じたもので、画像再現には不必要なものである。したがって、同図(b)に示すような帰線消去信号によって、この部分をカットし同図(c)に示すような波形にする。
　｛図2-2　カラーテレビ信号の成り立ち　
　　図2-2(a)〜(f)には、(a)映像信号から(f)カラーテレビ信号が作成されていく様子が示されている。　
　(a)映像信号
　(b)帰線消去信号
　(c)帰線消去された映像信号
　(d)水平同期信号
　(e)　(c)+(d)
　(f)カラーテレビ信号　｝
　・・・（中略）・・・
　次に同図(d)に示すように、水平同期信号を帰線消去期間に加えると同図(e)に示すような映像信号（輝度信号）が出来上がる。
　以上が白黒のテレビと同様の信号生成過程であるが、カラーテレビの場合には、同図(e)に示す信号に、さらに被写体でのそれぞれの部分に対応した色情報を送る搬送色信号が重畳され、同図(f)に示すように水平帰線消去信号の後のほうに搬送色信号の位相基準を表すカラーバースト信号が加えられて最終的なカラーテレビジョン信号となる。」（ｐ３１−３３抜粋）
　
　「２．４　文字放送
　文字放送は，文字や図形で構成される画像情報を、ディジタル信号の形でテレビ信号に多重して伝送し、受信側でこの信号を復号し、テレビ受信機に表示するシステムである。
　２.４.１　文字放送の方式
　ハイブリッド伝送方式文字放送システムの基本構成を図2-18に示す。
　｛図2-28　文字放送のシステム概念図　略｝
　送出側では、文字放送制作装置により文字や図形による画面と、必要二王子付加音を組み合わせて文字放送画面を制作する。文字放送画面を符号化し、さらに番組番号、ページ番号、表示モードなどを指定するデータを付加する。
　多数の文字放送番組を送出手順に従って順次読み出し、文字放送番組送出装置で同期符号や誤り訂正符号などを加え文字信号とし、文字信号多重化装置でテレビ映像信号の垂直帰線消去期間（ＶＢＬ）に重畳して送信する。
　受信側では、復調した映像信号から文字信号を分離し、文字信号処理部で誤り訂正を行った後、文字放送データを復号し、文字発生器から読み出したパターンデータや図形データを表示メモリに書き込み、映像信号に変換し受像管に表示する。付加音は電子音発生器により復号し、スピーカーから再生する。
　文字信号は、図2-29に示す垂直帰線消去期間の“水平走査線”第10H（第273H）から第21H（第284H）までの間に重畳できるが、現在は、既存テレビ受信機との両立性から、第14H（第277H）から第16H（第279H）および、第21H（第284H）の４Ｈとなっている。
　｛図2-29　文字信号の重畳　
　　図2-29には、垂直帰線消去期間1H〜21.5H内の文字信号重畳可能期間10H〜21H内の14H・15H・16H・21Hの４つのそれぞれのＨ内に、水平同期信号、カラーバースト、文字信号がこの順に存在する信号が示されている。　図は略　｝
　
　２.４.２　文字放送の信号の構成
　ハイブリッド伝送方式文字信号の構成を図2-30に示す。
　｛図2-30　ハイブリッド伝送方式文字信号の構成
　　図2-30には、水平同期信号と、これに続くカラーバースト信号と、これに続く２９６ビットからなる文字信号とで１Ｈ分の映像信号が形成されていることが示されている。　図は略。｝
　・・・（中略）・・・
　図2-30に示すとおり、水平走査期間１Ｈに重畳される２９６ビットのデータライン（一連の文字信号）は、２４ビットの同期部と２７２ビットのデータパケットに区分される。」（ｐ６４−６６抜粋）
　
　
周知例３
　「１　合成映像信号
　テレビジョンの信号は図1-7にように、撮像管から取り出される映像信号(a)び帰線消去信号(b)を加え、さらに同期信号を重畳させたもので、合成映像信号というが、一般にはただ単に映像信号と呼ばれることが多い。
　｛図1-7　合成映像信号の内容　
　　図1-7(a)電気信号（映像信号）から同期信号をつけて合成映像信号を形成される様子が示されている。　図は略｝
　」（ｐ１２−１３）
　
　「６.３　文字放送
１　文字放送の方式
　文字放送は、文字や図形で構成される画像情報や付加音声を、ディジタル信号の形でテレビ信号に多重して伝送し、受信側でこの信号を復号して、画像情報を受像管に表示し、付加音声をスピーカーから再生するシステムである。
　図6-23は、ハイブリッド伝送方式文字放送システムの概要である。
　（図6-23　文字放送システムの概要　略）
　（図6-24　文字信号の重畳　
　　図6-24には、垂直帰線消去期間1H〜21.5H内の文字信号重畳可能期間10H〜21H内の14H・15H・16H・21Hの４つのそれぞれのＨ内に、水平同期信号、カラーバースト、文字信号がこの順に存在する信号が示されている。　図は略）
　文字信号は、図6-24に示すように垂直帰線消去期間の水平走査線第10H（第273H）から第21H（第284H）までの間に重畳できるが、現在は、既存のテレビ受信機との両立性から、第14H〜第16Hおよび第21H（第277H〜第279Hおよび第284H）の４つの“Ｈ”が割り当てられている。
　なお、最初のフィールドと次のフィールドの対応する“Ｈ”が、１組として用いられている。
　２　文字放送の信号の構成
　図6-25に、ハイブリッド伝送方式文字信号の構成を示す。
　（図6-25　ハイブリッド伝送方式文字信号の構成　略
　　図6-25には、水平同期信号と、これに続くカラーバースト信号と、これに続く２９６ビットからなる文字信号で、１Ｈ分の信号が形成されていることが示されている。）」（ｐ３５７−３５８抜粋）
　
　
周知例４
　「４−１　テレビ多重文字放送
　文字放送は文字や図形で構成されるカラー静止画像情報をディジタル信号の形でテレビ信号の垂直帰線消去期間に多重して伝送し，受信側でこの信号を復号してカラー静止画像情報としてテレビ受信器に表示することができる放送システムである。文字放送ではニュース，天気予報，経済情報，家庭情報などの各種の情報番組を通常のテレビ番組に付加して繰り返して放送することができる。したがって，利用者は必要な情報を必要なときに随時選択して視聴することが可能である。」（ｐ２０３から抜粋）
　
　ア-２）「送信側の手段」の存在、受信側の手段、「システム」
　刊行物１は、専ら文字放送の受信側の手段である「文字放送受信機」について記載するものではあるが、そのような「受信側の手段」に対応する局側における「送信側の手段」の存在も認めることができ、したがって、引用発明として、「文字放送受信機」を含む文字放送を受信する「受信側の手段」と、文字放送を送信する「送信側の手段」とを含めた「システム」の発明を把握することができる。
　
　ア-３）以上を踏まえ、引用発明の認定は、文字放送についての記載(K2)(K4)(K5)及び上記〈技術常識〉、解決手段・実施例として記載された(K8)〜(K14)，(K3)｛実施例と同じ構成部分｝に基づいて、「受信側の手段」と「送信側の手段」とを含めた「文字放送システム」の発明を認定する。
　
　イ　受信側の手段、送信側の手段、システム、送受信する信号の形態
　「文字放送受信機」｛前掲(K3)，第６図・第１図・第５図｝において、「ビデオ信号より文字放送データを抜き取るためのデータ抜取部」が抜き取る「文字放送データ」は、上記〈技術常識〉，前掲(K4)によれば、テレビ映像（ビデオ）信号の垂直帰線期間に重畳して複合映像信号の形態で送信されるものであり、
　「文字放送受信機」は、この送信されたを信号を受信し、受信した信号から文字放送データを抜き取り表示するものであって、「受信側の手段」ということができるとともに、
　前記したように、そのような「受信側の手段」に対応する局側における「送信側の手段」の存在も認めることができ、同「送信側の手段」は、「文字放送データ」をテレビ映像（ビデオ）信号の垂直帰線期間に重畳して複合映像信号の形態で送信するものということができる。
　そして信号を送信するためには、そのような信号が作成されている必要があるところ、「送信側の手段」として、「文字放送データ」を用いてそのような送信信号を作成するものを認定することができる。
　
　以上から、
　
送信側の手段
受信側の手段
システム
　
送信側の手段
　「文字放送データ」を用いて、「文字放送データ」をテレビ映像（ビデオ）信号の垂直帰線期間に重畳した複合映像信号を作成し、送信する手段を備え、
　
受信側の手段
　この送信された信号を受信し、受信した信号から文字放送データを抜き取り表示する
受信側の手段
システム
　
　ウ　２種類の番組（目次用番組、通常の番組）
　前掲(K2)〜(K5)｛特に、「文字放送は、０００番組番号を目次としている」(K2)｝、前掲(K9)〜(K13)｛特に、「第９図および第１１図のように番組番号０００以外の番組でも目次番組の様に番組番号案内を行う場合がある。」(K12)、「番組番号保有番組」(K13)｝、第２図〜第４図，第７図〜第１１図によれば、
　「文字放送データ」を用いて構成される番組には、“０００”を番組番号とする「目次番組」（第２図〜第４図，第７図）と呼ばれる複数の番組の番組番号の案内を行う特別な番組や、第９図や第１１図に示されるように番組番号“０００”以外の番組でも目次番組の様に、複数の番組の「番組番号案内を行う番組」（「番組番号保有番組」）（以下、これらを合わせて『』を付して、『
複数の番組の番組番号案内を行う目次用番組
目次用番組
　他方、番組には、そのような『目次用番組』以外の番組、例えば、ニュース番組であればニュース内容自体をその内容とする番組のように、本来のコンテンツとしての情報を提示する番組（以下、『』を付して『
コンテンツとしての通常の番組
通常の番組
目次用番組
　すなわち、文字放送の番組には、上記『
目次用番組
通常の番組
通常の番組
目次用番組
通常の番組
　
　エ　文字放送データ
　上記ウから、文字放送番組の番組のデータである「文字放送データ」として、上記２種類の番組に対応する「（文字放送）データ」、すなわち、『
複数の番組の番組番号案内を行う目次用番組
コンテンツとしての通常の番組
　したがって、存在が明らかな「
送信側の手段
　上記『目次用番組』の（文字放送）データと、テキストからなる上記『通常の番組』の（文字放送）テキストデータとを用い、これらの「文字放送データ」をテレビ映像（ビデオ）信号の垂直帰線期間に重畳した複合映像信号を作成し、送信するものと言うことができる。
　
　オ　受信側の手段、『目次用番組』の表示、『通常番組』の選択
　前掲(K10)〜(K13)（実施例）によれば、
　目次番組の選択｛(K10)｝や番組番号を含む番組の検出｛(K13)｝により、画面上に目次番組または番組番号保有番組、すなわち『目次用番組』が表示され、番組番号と番組名との対が表示される（第３図，第４図，第７図，第９図，第１１図）。
　この『目次用番組』の表示は、受信側の手段が、受信した信号から（『目次用番組』に対応する）「文字放送データ」を抜き取り、抜き取った「文字放送データ」を用いて表示することは明らかである。
　そして、『目次用番組』が表示された後、利用者は、キー入力部の「番組番号表示された個所の表示変更要求を行うためのキー」（『表示変更キー』と略す。）を順次押下すると次々に番組番号が選択表示（フラッシング）され、目的の番組番号の所がフラッシングされたときに、「表示変更された番組番号表示された任意の個所を選択するとかできるキー」（『番組選択キー』と略す。）を押下すると、直ちに目的の番組番号を有する番組の検索が行われ表示される（第４図の例では、「２００＃　天気予報」の番組が選択され表示される）。
　このようにして選択・表示される番組の中には、テキストからなる『
コンテンツとしての通常の番組
　したがって、『目次用番組』に表示され案内される複数の番組の番組番号のうちから、利用者がキー入力部を用いて『番組選択キー』を押下することにより、目的の、テキストからなる『通常の番組』の番組番号が特定され、もって、同『通常の番組』を選択できるようにする手段を備えるものといえる。
　｛なお、特定され、選択・表示される番組が『通常の番組』でなく、さらに詳細に番組番号を案内する『目次用番組』である場合もあり得る（この場合の「さらに詳細に番組番号を案内する『目次用番組』」は、後記するように、補正後発明でいう「サブメニュ」に相当することになる。）が、その場合、上記と同様に、その更なる『目次用番組』の表示後、当該『目次用番組』で案内される複数の番組の番組番号のうちから、利用者がキー入力部を用いて『番組選択キー』を押下することにより、最終的には、目的の『
コンテンツとしての通常の番組
　以上のことから、
　受信側の手段として、送信されたを信号を受信し、受信した信号から文字放送データを抜き取り、抜き取った「文字放送データ」を用いて『目次用番組』を表示し、『目次用番組』に表示され案内される複数の番組の番組番号のうちから、利用者がキー入力部を用いて『番組選択キー』を押下することにより、目的の、テキストからなる『通常の番組』の番組番号が特定され、もって、同『通常の番組』を選択できるようにする手段を備えるものを認定することができる。
　
　カ　送信側手段　
　上記イ、エのとおりであるから、「送信側の手段」として、さらに詳しく、『複数の番組の番組番号案内を行う目次用番組』の（文字放送）データと、テキストからなる『コンテンツとしての通常の番組』の（文字放送）テキストデータとを用い、これらの「文字放送データ」をテレビ映像（ビデオ）信号の垂直帰線期間に重畳した複合映像信号を作成し、送信する手段を備えるものを認定することができる。
　
　キ　引用発明
　以上のことから、補正後発明と対比する引用発明として、下記の発明を認定することができる。
　
　　　　　　　記（引用発明）
　
送信側の手段
受信側の手段
システム
　
送信側の手段
　『複数の番組の番組番号案内を行う目次用番組』の（文字放送）データと、テキストからなる『コンテンツとしての通常の番組』の（文字放送）テキストデータとを用い、これらの「文字放送データ」をテレビ映像（ビデオ）信号の垂直帰線期間に重畳した複合映像信号を作成し、送信する手段を備え、
　
受信側の手段
　送信された信号を受信し、受信した信号から文字放送データを抜き取り、抜き取った文字放送データを用いて『複数の番組の番組番号案内を行う目次用番組』を表示し、該『目次用番組』に表示され案内される番組番号のうちから、利用者がキー入力部を用いて『番組選択キー』を押下することにより、目的の、テキストからなる『コンテンツとしての通常の番組』の番組番号が特定され、もって、同『通常の番組』を選択できるようにする手段を備える、
　システム。
　なお、『番組選択キー』は、前記オのとおり「表示変更された番組番号表示された任意の個所を選択するとかできるキー」をいう。
　
　（２）補正後発明と引用発明との対比（対応関係）
　
　ア　「テキスト・データ」、「テキスト・データの一部」、「メニュ」、「メニュ・データ」について
　〈補正後発明〉
　構成要件（ｄ）の「メニュ・データとメニュと少なくとも１つのサブメニュとを用いて前記テキスト・データの一部を選択する」との記載からすれば、
　補正後発明でいう「テキスト・データ」は、
　「メニュ・データ」を用いて、その（「テキスト・データ」の）中からその一部である目的の「テキスト・データの一部」が選択されるものである。
　したがって、「テキスト・データ」と「メニュ・データ」とは異なるものであり、「メニュ・データ」は、「テキスト・データ」から「一部のテキスト・データ」を選択するのに用いるメニューのデータをいうものと解釈される。
　〈引用発明〉
　引用発明でも、選択される「目的の、テキストからなる『コンテンツとしての通常の番組』の（文字放送）テキストデータ」（前者）は、
　「テキストからなる『コンテンツとしての通常の番組』の（文字放送）テキストデータ」全体（後者）の一部といえ、
　『複数の番組の番組番号案内を行う目次用番組』を表示し、該『目次用番組』に表示され案内される番組番号のうちから、利用者がキー入力部を用いて『番組選択キー』を押下することにより、目的の、テキストからなる『コンテンツとしての通常の番組』の番組番号が特定され、もって、後者の中からその一部である前者が選択されるものであるから、
　表示された
『複数の番組の番組番号案内を行う目次用番組』、およびそのの（文字放送）データを用いて
選択される
　そして、引用発明の、当該『目次用番組』は、これを見て利用者が番組を選択することから、当該『目次用番組』は利用者に対して番組の「メニュー」を提供するものといえ、したがって、当該『目次用番組』の（文字放送）データは、「メニュ」のデータと言い得るものである。
　以上によれば、
　引用発明の、「テキストからなる『コンテンツとしての通常の番組』の（文字放送）テキストデータ」（全体）は、補正後発明でいう「テキスト・データ」に、
　引用発明の、「目的の、テキストからなる『コンテンツとしての通常の番組』の（文字放送）テキストデータ」は、補正後発明でいう「テキスト・データの一部」に、それぞれ相当する。
　また、引用発明の、『複数の番組の番組番号案内を行う目次用番組』、当該『目次用番組』の（文字放送）データは、それぞれ、
　補正後発明でいう「メニュ」、「メニュ・データ」といい得るものである。
　
　イ　構成要件（ａ）（ｂ）について
　（ａ）「テキスト・データとメニュ・データとを用いて、前記テキスト・データと前記メニュ・データとを含むビデオ信号としてフォーマットされている合成信号を作成する手段」
　（ｂ）「手段（ａ）に接続されており、前記合成信号を送信する手段」
　
　イ-１）「ビデオ信号としてフォーマットされている合成信号」
　本願明細書には、「合成信号」なる用語そのものは記載されてないが、下記の〈明細書の記載〉および上記〈技術常識Ｂ〉に照らせば、
　上記の「ビデオ・フォーマットされた合成信号」、「ビデオ信号としてフォーマットされている合成信号」は、同じ意味であって、
　撮像電気信号に同期信号等が多重化されて合成された「複合映像信号」の形態のテレビ映像（ビデオ）信号をいうことは明らかであり、
　引用発明の「複合映像信号」と相違はない。
　
　　　　記〈明細書の記載〉（下線は、当審決で付与した）
　「このテキスト配送システムの基本的な要素は、テキストをビデオ（映像）信号上に置くサブシステムと、ビデオ信号上に置かれたテキストを受信して選択する」（２頁１７行〜１９行）、
　「このシステムは、
垂直ブランキング・インターバル（VBI）のいくつかの線、アナログ・ビデオ信号のすべての線、
の未使用部分を用いて、テキスト・データを送信する。
　「
エンコーダ204は、テキスト・データをビデオ信号の上に乗せ、復号ビデオ信号を形成する。この復号ビデオ信号は、テキスト・データだけを含むこともあり得るが、映像とテキストとの両方のデータを運ぶのが通常である。
　「テキスト・データを送信するためには、配送システム208は、北米放送テレテキスト標準（NABTS）と世界システム・テレテキスト（WST）標準とによって定義されるような高い帯域幅の送信技術を用いる。WSTフォーマット（垂直ブランキング・インターバルの各ラインは266データ・ビットを含む）を用いると、400ページの書籍は、例えば、垂直ブランキング・インターバルの４本のラインを用いて、１.６分ごとに約１冊の書籍の速度（毎秒63840ビット）で、番組の間に送信できる。また、番組を中断して映像の246本のラインを用いて１時間におよそ2250冊の書籍を送ることができる（毎秒３.９メガビット）ような専用チャンネル上を、書籍を送信することもできる。テレテキスト型のフォーマットは、システム200と共に用いられ得る、最も単純なしかし可能な限り最も遅いテキスト・フォーマットである。いずれの場合にも、エンコーダ204がアップリンク・サイト254において用いられ、テキスト・データをアナログ・ビデオ信号の中に挿入する。
　　　　　　　・・・（中略）・・・
  図５aは、オペレーション・センタ250で生じる、出版業者又はプロバイダ282からのテキストの処理に含まれるステップの流れ図である。
　　　　　　　・・・（中略）・・・
  ブロック508に示されるように、ファイルは、より小さなパケットの情報に分割される。ヘッダ情報がパケットに加えられる。ビット・ストリームは、シリアル・デジタル・ビット・ストリームから、NTSCビデオ信号と互換性を有するアナログ・ビット・ストリームに変換される。ブロック512は、アナログ・データの、ビデオ信号のビデオ・ラインへの切り替え（スイッチング）を示す。アナログ・データは、一般に、VBI又はアクティブ・ビデオ・ラインのどちらかに配置される。ある場合には、ビデオ・ラインではなく、帯域幅の未使用部分（５から40 MHz、70から75 MHz、100から109 MHz、又はそれ以外の保護バンドなど）を用いることが好ましい。
  図５bは、ブロック508、512に対する機能のいくつかを実行するハードウェア構成の例である。ビデオ・フィード516は、同期ストリッパ520を介して受信され処理される。ストリップされた同期信号532は、デジタル論理制御524によって用いられる。デジタル論理制御524は、同期信号532とシリアル・デジタル・ビット・ストリーム528とを受け取り、処理する。デジタル論理制御524は、シリアル・デジタル・ビット・ストリームをD/Aコンバータ536に与え、ビデオ・スイッチ544に対して制御信号540を出力する。ビデオ・スイッチ544は、ビデオ・フィード516とアナログ・データ・ストリーム548とを、アナログ・データ信号が挿入されたビデオ・フィード552に統合する。
  ケーブル、放送、又はそれ以外のテレビ配送方法に代わるものとして、公共電話システムを用いて、書籍を加入者に送信することができる。平均的な書籍は、公共電話システム上を送信するのに、約７分を要する。電話システムを用いると、
映像とテキストとを複合信号に合成する必要がない
　
　イ-２）上記構成要件（ａ）（ｂ）全体
　引用発明でも、
　『複数の番組の番組番号案内を行う目次用番組』の（文字放送）データ（すなわち、補正後発明でいう「メニュ・データ」）と、
　テキストからなる『コンテンツとしての通常の番組』の（文字放送）テキストデータ（すなわち、補正後発明でいう「テキスト・データ」）とを用い、これらの「文字放送データ」（すなわち「メニュ・データ」と「テキスト・データ」）をテレビ映像（ビデオ）信号の垂直帰線期間に重畳した複合映像信号を作成し、送信する手段
　を備えており、
　この複合映像信号は、「テキスト・データと前記メニュ・データとを含むビデオ信号としてフォーマットされている合成信号」といい得るから、
　補正後発明と引用発明は、
　（ａ）テキスト・データとメニュ・データとを用いて、前記テキスト・データと前記メニュ・データとを含むビデオ信号としてフォーマットされている合成信号を作成する手段と、
　（ｂ）手段（ａ）に接続されており、前記合成信号を送信する手段と、
　を備える、といい得る点において相違はない。
　
　ウ　構成要件（ｃ）（ｄ）について
　
　ウ-１）構成要件（ｃ）「前記合成信号を受信する手段」
　　引用発明の「受信側の手段」も、上記構成要件（ｃ）を備えているといい得、この点において相違はない。
　
　ウ-２）構成要件（ｄ）「手段（ｃ）に接続されており、前記メニュ・データとメニュと少なくとも１つのサブメニュとを用いて前記テキスト・データの一部を選択する手段と、を備えており、」、「前記少なくとも１つのサブメニュは前記メニュから選択されること」について
　
　引用発明の「
受信側の手段
　表示された「メニュ」｛『複数の番組の番組番号案内を行う目次用番組』｝、
および
　「テキスト・データ」｛「テキストからなる『コンテンツとしての通常の番組』の（文字放送）テキストデータ」全体｝の中からその一部である「テキスト・データの一部」を選択するものといえるから、
　引用発明も、「手段（ｃ）に接続されており、前記メニュ・データとメニュとを用いて前記テキスト・データの一部を選択する手段」｛（ｄ’）とする｝を備えている点では補正後発明と相違しない。
　もっとも、「少なくとも１つのサブメニュは前記メニュから選択される」とする「少なくとも１つのサブメニュ」も用いるとする補正後発明とは相違する。
　
　ウ-３）「手段（ｄ）は、テキスト・データの一部を指示する加入者エントリを受信する手段を含み、」について
　
　引用発明の「
受信側の手段
　その「利用者がキー入力部を用いて『番組選択キー』を押下すること」は、
補正後発明の表現でいえば、「テキスト・データの一部を指示する利用者エントリ」といえ｛刊行物１においても、(K6)「従来の文字放送受信機では三桁の番組番号をキー入力しさらに入力（エントリ）キーである＃キーを押下する。」としていて、「エントリ」という用語を用いている。｝、
　したがって、「手段（ｄ’）は、テキスト・データの一部を指示する利用者エントリを受信する手段を含み」といい得る点においては、補正後発明と相違しない。
　もっとも、補正後発明では、「利用者」（エントリ）ではなく「加入者」（エントリ）としており、この点相違が認められる。
　
　ウ-４）まとめ（ｃ）（ｄ）
　以上によれば、
　補正後発明と引用発明は、
　（ｃ）前記合成信号を受信する手段と、
　（ｄ’）手段（ｃ）に接続されており、前記メニュ・データとメニュとを用いて前記テキスト・データの一部を選択する手段と、
　を備えており、手段（ｄ’）は、テキスト・データの一部を指示する利用者エントリを受信する手段を含み、
　とする点では相違がなく、
　上記（ｄ’）「手段（ｃ）に・・・前記テキスト・データの一部を選択する手段」が、
　補正後発明では、さらに「少なくとも１つのサブメニュ」を用いて」おり、「少なくとも１つのサブメニュはメニュから選択される」とするのに対して、
　引用発明では、そのようにするとはしていない点、
　で相違する。
　
　また、上記（ｄ’）「手段（ｃ）に・・・前記テキスト・データの一部を選択する手段」が含むとする「テキスト・データの一部を指示する利用者エントリを受信する手段」における「利用者」が、
　補正後発明では、「加入者」であるのとするのにに対して、
　引用発明は、「加入者」とはしていない点、
　でも相違が認められる。
　
　エ　構成要件「ビデオ・フォーマットされた合成信号として送信されるテキスト・データを送信し受信し選択するシステム」について
　既に検討した、上記ア〜ウによれば、引用発明の「送信側の手段と受信側の手段とを備える文字放送システム」が、補正後発明でいう「ビデオ・フォーマットされた合成信号として送信されるテキスト・データを送信し受信し選択するシステム」といえ、この点において相違はない。
　
［４］一致点・相違点
　以上の対比結果によれば、補正後発明と引用発明との一致点および相違点は、下記のとおりである。 
 　 
　　　　　　　　記（一致点）  
　ビデオ・フォーマットされた合成信号として送信されるテキスト・データを送信し受信し選択するシステムであって、
　（ａ）テキスト・データとメニュ・データとを用いて、前記テキスト・データと前記メニュ・データとを含むビデオ信号としてフォーマットされている合成信号を作成する手段と、
　（ｂ）手段（ａ）に接続されており、前記合成信号を送信する手段と、
　（ｃ）前記合成信号を受信する手段と、
　（ｄ’）手段（ｃ）に接続されており、前記メニュ・データとメニュとを用いて前記テキスト・データの一部を選択する手段と、
　を備えており、手段（ｄ’）は、テキスト・データの一部を指示する利用者エントリを受信する手段を含む、
　システム。
　　　　　　　　記（相違点）
　［相違点１］
　上記（ｄ’）「手段（ｃ）に接続されており、前記メニュ・データとメニュとを用いて前記テキスト・データの一部を選択する手段」が、
　補正後発明では、さらに「少なくとも１つのサブメニュ」を用いており、「少なくとも１つのサブメニュはメニュから選択される」とするのに対して、
　引用発明では、そのようにするとはしていない点。
　
　［相違点２］
　上記（ｄ’）「手段（ｃ）に・・・前記テキスト・データの一部を選択する手段」が含むとする「テキスト・データの一部を指示する利用者エントリを受信する手段」における「利用者」が、
　補正後発明では、「加入者」であるとするのに対して、
　引用発明は、「加入者」とはしていない点。
　
［５］相違点等の判断
　
　〈相違点の克服〉
　
　〈［相違点１］の克服〉
　引用発明における、上記（ｄ’）「手段（ｃ）に接続されており、前記メニュ・データとメニュとを用いて前記テキスト・データの一部を選択する手段」を、
　手段（ｃ）に接続されており、前記メニュ・データとメニュと
少なくとも１つのサブメニュと
少なくとも１つのサブメニュ
　とすることで、相違点１は克服される。
　すなわち、引用発明における、
  『複数の番組の番組番号案内を行う目次用番組』に表示され案内される番組番号のうちから、利用者がキー入力部を用いて『番組選択キー』を押下することにより、目的の、テキストからなる『コンテンツとしての通常の番組』の番組番号が特定され、もって、同『通常の番組』を選択できるようにする手段を、
　『複数の番組の番組番号案内を行う目次用番組』に表示され案内される番組番号の番組を、目的の、テキストからなる『コンテンツとしての通常の番組』ではなく、さらに詳細に番組番号を案内表示する再度の『目次用番組』とし、
　最初の『目次用番組』に表示され案内される番組番号のうちから、利用者がキー入力部を用いて『番組選択キー』を押下することにより、さらに詳細に番組番号を案内表示する再度の『目次用番組』の番組番号が特定され、同『目次用番組』を選択し表示し、
　その再度の『目次用番組』（補正後発明でいう「サブメニュ」に相当する）に表示され案内される番組番号のうちから、利用者がキー入力部を用いて『番組選択キー』を押下することにより、目的の、テキストからなる『コンテンツとしての通常の番組』の番組番号が特定され、もって、同『通常の番組』を選択できるようにする手段、
　とすることで上記［相違点１］は克服される。
　
　〈［相違点２］の克服〉
　引用発明の「利用者」を「加入者」とすることで、上記［相違点２］は克服される。
　
　そして、引用発明を出発点として、上記［相違点１］の克服と、上記［相違点２］の克服を合わせて行うことで、補正後発明に達する。
　
　〈相違点の克服の容易想到性〉
　
　（１）〈［相違点１］の克服〉の容易性
　ア　周知事項
　一般に、多数のものから1つを選択する際の便宜を図るため、階層化したメニュ、すなわち、メニュとメニュから選択されるサブメニュを用いて選択できるようにすることは周知事項にすぎず（例えば、下記周知例５〜９参照）、このことは、テレテキスト受信機における番組選択のためのメニュにおいても知られている周知事項である（例えば、下記周知例６〜９参照）。
　
　イ　刊行物１の示唆
　刊行物１の第２図、第３図、第４図には、「０００＃番組」（画面最上部）として、「○○○番組総目次」（画面２行目）を提示する番組であることが示されていて、「総目次」とあることから、同画面で案内される番組（１００＃や２００＃の番組）が、総目次の下位の「目次」を提示する番組（『複数の番組の番組番号案内を行う目次用番組』）であることが伺われること、
　また、第１０図には、「０００＃」番組、すなわち目次番組の画面下方に「００１＃□□□の全番組表　９００＃○○○もくじ」と表示されていて、「００１＃」番組と「９００＃」番組を案内しており、これら「００１＃」番組と「９００＃」番組は、それぞれ、第９図、第１１図に示されるように『複数の番組の番組番号案内を行う目次用番組』であることが示されており、
　目次番組（「０００＃」番組）が、更なる『複数の番組の番組番号案内を行う目次用番組』（「００１＃」番組と「９００＃」番組）を案内表示していることが示されていることから、
　テキストからなる『コンテンツとしての通常番組』を選択するのに、『目次用番組』（メニュ）だけげなく、『目次用番組』と、『目次用番組』から選択されるその下位の『目次用番組』（サブメニュ）を用いることの示唆があるというべきである。
　
　ウ　小括
　上記［相違点１］の克服は、上記アの周知事項を熟知している当業者にとって困難なことではなく、容易に想到し得ることである。また、そのような採用は、刊行物１に示唆（上記イ）があるというべきであることからみても、当業者が容易に想到し得ることである。
　
　（２）〈［相違点２］の克服〉の容易性
　一般に、送信側から送信されるテレビ映像やテキストの情報を受信して
利用者
　受信契約等による利用者の加入を前提とするシステム、すなわち、送信側から送信されるテレビ映像やテキストの情報を受信して
加入者
　したがって、上記［相違点２］の克服は、当業者が特段の困難なく容易に想到し得ることである。
　
　（３）まとめ（効果等）
　そして、引用発明を出発点として、上記［相違点１］の克服と、上記［相違点２］の克服を合わせて行うことで、補正後発明に達するところ、これらの克服を合わせて行うことも、技術常識・周知事項から当業者が容易になし得ることである。また、補正後発明は、全体としても、刊行物１および周知技術から当業者が予測し得ない格別顕著な効果を奏し得るものともいえない。
　
　　　　　　　　記（周知例５〜９）
　
周知例５
　
　
周知例６
　（例えば、「ところで、文字放送の番組番号は第４図に示すように、１＃ニユース、１００＃天気、２００＃株式・・・とまず大まかなジャンル別番号を付し、つぎに、ニュースの場合、２＃朝日、３＃毎日・・・９９＃読売のように、２＃〜９９＃までを具体的なニュース番組番号を付している。他のジャンルについても同様である。」（２頁左上欄）、第４図等）
　
　
周知例７
　
　
周知例８
　｛「
２．高機能テレテキストシステムの概要
　高機能テレテキストで提供する番組は、文字を主体とした情報番組で、各番組は、「タイトル」、「概要」、「本文」等から成る情報のかたまりであり、本文内に「詳細情報」を配置できる。・・・（中略）・・・
大量の番組から、必要な番組を選ぶため、各番組にキーワードとジャンル番号を付けるとともに、全体の番組表（メニュ）やキーワードの一覧表を送るようにしている。ジャンルはFig.2に示すように概念の大きさにより、２段階に階層化し、ジャンル番号を表している。上記の概念を大ジャンルと呼び、下位のジャンルを小ジャンルと呼ぶ。」（７頁右欄１０行〜８頁左欄９行、Fig.2）、
　「ジャンルの場合は大ジャンルは１１個なので候補を一度に提示できる。小ジャンルは、先に大ジャンルを選択後提示し選択する。」（１０頁右下）｝
　
　
周知例９
　
［６］まとめ（独立特許要件）
　以上、補正後発明は、刊行物１に記載された発明、技術常識、および周知技術に基づいて、当業者が容易に発明をすることができたものであるから、特許法第２９条第２項の規定により特許出願の際独立して特許を受けることができない。
　
第三　当審の判断
　
［１］本願発明　
　
　平成１７年４月６日付けの補正は上記のとおり却下する。
　本願の請求項１から請求項２７までに係る発明は、本願明細書及び図面（平成１３年１２月３日付けおよび平成１６年１０月１３日付けの各手続補正書により補正された明細書及び図面）の記載からみて、それぞれ、その特許請求の範囲の請求項１から請求項２７までに記載した事項により特定されるとおりのものであるところ、そのうち、請求項１に係る発明（以下、「本願発明」ともいう。）は、下記のとおりである。
　
　　　　　記（本願発明）
　テキスト・データを送信し受信し選択するシステムであって、前記テキストデータはビデオ・フォーマットされた合成信号として送信される、システムにおいて、
　（ａ）テキスト・データとメニュ・データとを用いて前記合成信号を作成する手段であって、前記合成信号は前記テキスト・データと前記メニュ・データとを含むビデオ信号としてフォーマットされている、手段と、
　（ｂ）手段（ａ）に接続されており、前記合成信号を送信する手段と、
　（ｃ）前記合成信号を受信する手段と、
　（ｄ）手段（ｃ）に接続されており、前記メニュ・データと少なくとも１つのサブメニュとを用いて前記テキスト・データの一部を選択する手段であって、テキスト・データの一部を指示する加入者エントリを受信する手段を含む、手段と、
　を備えていることを特徴とするシステム。
　
［２］引用刊行物の記載
　原査定の拒絶の理由に引用された刊行物である特開平４−１７０１８３号公報（上記刊行物１に同じ。）には、前記「第二［２］」のとおりの事項が記載されている。
　
［３］本願発明と引用発明との対比（対応関係）
　
　刊行物１に記載された発明（引用発明）の認定、および、本願発明と引用発明との対応関係については前記「第二［３］」のとおりであるところ、引用発明の認定、および、本願発明と引用発明との対応関係について、これを援用する。
　
　本願発明と対比する引用発明として、下記の発明を認定することができる。
　
　　　　　　　記（引用発明、再掲）
　
送信側の手段
受信側の手段
システム
　
送信側の手段
　『複数の番組の番組番号案内を行う目次用番組』の（文字放送）データと、テキストからなる『コンテンツとしての通常の番組』の（文字放送）テキストデータとを用い、これらの「文字放送データ」をテレビ映像（ビデオ）信号の垂直帰線期間に重畳した複合映像信号を作成し、送信する手段を備え、
　
受信側の手段
　送信された信号を受信し、受信した信号から文字放送データを抜き取り、抜き取った文字放送データを用いて『複数の番組の番組番号案内を行う目次用番組』を表示し、該『目次用番組』に表示され案内される番組番号のうちから、利用者がキー入力部を用いて『番組選択キー』を押下することにより、目的の、テキストからなる『コンテンツとしての通常の番組』の番組番号が特定され、もって、同『通常の番組』を選択できるようにする手段を備える、
　システム。
　なお、『番組選択キー』は、前記オのとおり「表示変更された番組番号表示された任意の個所を選択するとかできるキー」をいう。
　
［４］一致点・相違点
　
　本願発明と引用発明との一致点および相違点は、下記のとおりである。 
 　 
　　　　　　　　記（一致点）  
　テキスト・データを送信し受信し選択するシステムであって、前記テキストデータはビデオ・フォーマットされた合成信号として送信される、システムにおいて、
　（ａ）テキスト・データとメニュ・データとを用いて前記合成信号を作成する手段であって、前記合成信号は前記テキスト・データと前記メニュ・データとを含むビデオ信号としてフォーマットされている、手段と、
　（ｂ）手段（ａ）に接続されており、前記合成信号を送信する手段と、
　（ｃ）前記合成信号を受信する手段と、
　（ｄ）手段（ｃ）に接続されており、前記メニュ・データを用いて前記テキスト・データの一部を選択する手段であって、テキスト・データの一部を指示する利用者エントリを受信する手段を含む、手段と、
　を備えていることを特徴とするシステム。
　
　　　　　　　　記（相違点）
　［相違点１］
　上記（ｄ’）「手段（ｃ）に接続されており、前記メニュ・データを用いて前記テキスト・データの一部を選択する手段」が、
　本願発明では、さらに「少なくとも１つのサブメニュ」を用いて、とするのに対して、
　引用発明では、「少なくとも１つのサブメニュ」を用いていない点。
　
　［相違点２］
　上記（ｄ’）「手段（ｃ）に・・・前記テキスト・データの一部を選択する手段」が含むとする「テキスト・データの一部を指示する利用者エントリを受信する手段」における「利用者」が、
　本願発明では、「加入者」であるとするのに対して、
　引用発明は、「加入者」とはしていない点。
　
［５］相違点等の判断
　
　〈相違点の克服〉
　
　〈［相違点１］の克服〉
　引用発明における、上記（ｄ’）「手段（ｃ）に接続されており、前記メニュ・データを用いて前記テキスト・データの一部を選択する手段」を、
　手段（ｃ）に接続されており、前記メニュ・データと
少なくとも１つのサブメニュと
　
　〈［相違点２］の克服〉
　引用発明の「利用者」を「加入者」とすることで、上記［相違点２］は克服される。
　
　そして、引用発明を出発点として、上記［相違点１］の克服と、上記［相違点２］の克服を合わせて行うことで、本願発明に達する。
　
　〈相違点の克服の容易想到性〉
　［相違点１］の克服の容易性、および［相違点２］の克服の容易性については、補正後発明と引用発明との〈［相違点１］の克服〉の容易性、および〈［相違点２］の克服〉の容易性についてした前記判断｛第二［５］｝と同じである。
　
　〈まとめ（効果等）〉
　そして、引用発明を出発点として、上記［相違点１］の克服と、上記［相違点２］の克服を合わせて行うことで、本願発明に達するところ、これらの克服を合わせて行うことも、技術常識・周知事項から当業者が容易になし得ることである。また、本願発明は、全体としても、刊行物１および周知技術から当業者が予測し得ない格別顕著な効果を奏し得るものともいえない。
　
［６］まとめ
　以上、本願発明は、刊行物１に記載された発明、技術常識、および周知技術に基づいて、当業者が容易に発明をすることができたものである。
　
第四　むすび
　
　以上、本願の請求項１に係る発明は、刊行物１に記載された発明、技術常識、および周知技術に基づいて、当業者が容易に発明をすることができたものであるから、特許法第２９条第２項の規定により特許を受けることができない。
　したがって、残る理由Ａおよび理由Ｂ（請求項２から請求項２７までに係る各発明）について特に検討するまでもなく、本願は拒絶をすべきものである。
　よって、結論のとおり審決する。